(57)【要約】【課題】表示手段が移動しても、操作性を維持できる眼科装置を提供する。【解決手段】眼科装置の例である眼底カメラ１００は、表示手段の例であるモニタ１５と、モニタ１５上に表示される第１の操作手段の例である仮想スイッチ３０１と、モニタ１５とは別体に設けられる第２の操作手段の例であるジョイスティック２１とを有し、モニタ１５とジョイスティック２１とが相対的に移動した場合には、その相対的な移動量に応じて、仮想スイッチ３０１の位置をモニタ１５上において移動させる。【選択図】図４
2015167683.tif 000002
【特許請求の範囲】
【請求項１】
表示手段と、
前記表示手段と一体に設けられる第１の操作手段と、
前記表示手段と別体に設けられる第２の操作手段と、
を有し、
前記表示手段と前記第２の操作手段とが相対的に移動した場合には、その相対的な移動量に応じて、前記第１の操作手段の位置が前記表示手段において移動することを特徴とする眼科装置。
【請求項２】
前記第１の操作手段は、前記第２の操作手段との相対的な位置関係を維持するように、前記表示手段において移動することを特徴とする請求項１に記載の眼科装置。
【請求項３】
前記表示手段と一体に設けられる第３の操作手段をさらに有し、
前記第１の操作手段は、前記第２の操作手段との相対的な位置関係を維持するように前記表示手段において移動し、
前記第３の操作手段は、前記第１の操作手段と重ならない位置に前記表示手段において移動することを特徴とする請求項１に記載の眼科装置。
【請求項４】
前記第３の操作手段は、前記第１の操作手段の移動前の位置に移動することを特徴とする請求項３に記載の眼科装置。
【請求項５】
前記表示手段の前記第２の操作手段に対する相対的な移動量および移動方向を検出する検出手段と、
前記第１の操作手段の移動を制御する制御手段と、
をさらに有し、
前記制御手段は、前記第１の操作手段を、前記検出手段により検出された移動方向と反対方向に、検出された移動量と同じ移動量を移動させることを特徴とする請求項１から４のいずれか１項に記載の眼科装置。
【請求項６】
前記第１の操作手段には、複数の機能が纏められていることを特徴とする請求項１から５のいずれか１項に記載の眼科装置。
【請求項７】
前記第１の操作手段には、観察光量調整、撮像光量調整、センサの感度調整、合焦のための操作、撮像モードの切り替え、動作モードの切り替え、動作の速度調整、内部固視灯の操作、外部固視灯の操作、表示画像の倍率調整、表示画像の切り替え、画像の表示モードの切り替え、緊急停止、状態リセット、撮像、ヘッド移動のうちの１つまたは複数の機能が割り振られていることを特徴とする請求項１から３のいずれか１項に記載の眼科装置。
【請求項８】
前記第１の操作手段は、前記表示手段の表示面に設けられるタッチパネルと前記表示手段により表示されるアイコンとの組み合わせであることを特徴とする請求項１から７のいずれか１項に記載の眼科装置。
【請求項９】
表示手段と、
前記表示手段と一体に設けられる第１の操作手段と、
前記表示手段と別体に設けられる第２の操作手段と、
前記表示手段の移動方向および移動量を検出する検出手段と、
前記第１の操作手段の移動を制御する制御手段と、
を有する眼科装置の制御方法であって、
前記検出手段が前記表示手段の前記第２の操作手段に対する相対的な移動方向および移動量を検出するステップと、
前記検出手段による検出結果に応じて、前記制御手段が前記第１の操作手段を前記表示手段において移動させるステップと、
を有することを特徴とする眼科装置の制御方法。
【請求項１０】
表示手段と、前記表示手段と一体に設けられる第１の操作手段と、前記表示手段と別体に設けられる第２の操作手段と、前記表示手段の移動方向および移動量を検出する検出手段と、前記第１の操作手段の移動を制御する制御手段と、を有する眼科装置のコンピュータに、請求項９の各ステップを実行させることを特徴とするプログラム。
【発明の詳細な説明】
【技術分野】
【０００１】
本発明は、眼科装置、眼科装置の制御方法、プログラムに関する。たとえば眼科医院や集団健診等で用いられる眼底カメラなどといった眼科装置と、この眼科装置の制御方法と、この眼科装置を制御するためのプログラムに関する。
【背景技術】
【０００２】
眼科装置には、タッチパネルのような入力手段を併せ持つ表示手段を備えるものがある。一方、眼科装置においては、ジョイスティックのような従来の入力手段の需要もある。また、特許文献１には、ジョイスティックとタッチパネルを併せ持つような、複数の入力手段を有する眼科装置が開示されている。
【先行技術文献】
【特許文献】
【０００３】
【特許文献１】特開２０１２−４５０８３号公報
【発明の概要】
【発明が解決しようとする課題】
【０００４】
近年、眼科装置の多機能化が進み、従来の様にジョイスティックのみで全操作はできず、他の手段を併用しなければならないことがある。しかしながら、多くの場合において、検者は、片手で被検者の体勢維持などを介助し、残りの手で撮像の操作を行っている。すなわち、検者は、複数の入力手段を片手で扱うことになる。このため、高い操作性を実現するためには、入力手段どうしの位置関係が重要になる。例えば、検者が視認性確保の為にタッチパネルを移動させると、ジョイスティックとの位置関係が変化する。このため、初期状態では操作性を考慮した配置がなされていても、移動後においては操作性が低下することがある。上記実情に鑑み、本発明が解決しようとする課題は、眼科装置において、表示手段を移動させた場合であっても、移動前と同様の操作性を維持することである。
【課題を解決するための手段】
【０００５】
本発明に係る眼科装置は、表示手段と、前記表示手段と一体に設けられる第１の操作手段と、前記表示手段と別体に設けられる第２の操作手段と、を有し、前記表示手段と前記第２の操作手段とが相対的に移動した場合には、その相対的な移動量に応じて、前記第１の操作手段の位置が前記表示手段において移動することを特徴とする。
【発明の効果】
【０００６】
本発明によれば、視認性を確保するために、検者が表示手段を移動させた場合であっても、第１の操作手段は第２の操作手段から操作性の良い位置関係を維持できる。このため、操作性が損なわれず、介助しながらでも容易に操作できる眼科装置を提供できる。
【図面の簡単な説明】
【０００７】
【図１】第１の実施形態における眼科装置の構成の模式図である。
【図２】第１の実施形態における眼科装置の外観の模式図である。
【図３】第１の実施形態におけるモニタの表示を示す模式図である。
【図４】第１の実施形態におけるモニタの移動を説明する模式図である。
【図５】第１の実施形態における仮想スイッチの移動のシーケンスを示すフローチャートである。
【図６】第２の実施形態におけるモニタの表示を示す模式図である。
【発明を実施するための形態】
【０００８】
［第１の実施形態］
まず、本発明の第１の実施形態について説明する。図１は、本発明を実施した眼科装置の第１の実施形態である眼底カメラ１００の構成例を示す模式図である。光軸Ｌ１上には、ハロゲンランプ等の定常光を発する観察用光源１と、コンデンサレンズ２と、赤外光を透過し可視光を遮断するフィルタ３と、Ｘｅ管等の撮像用光源４と、レンズ５と、ミラー６とが配置される。ミラー６の反射方向の光軸Ｌ２上には、リング状開口を有するリング絞り７と、リレーレンズ８と、中央部開口を有する穴あきミラー９とが順次に配列される。穴あきミラー９の反射方向の光軸Ｌ３上には、被検眼Ｅに対向する対物レンズ１０が配置される。穴あきミラー９の穴部には撮像絞り１１が配置される。また、光軸Ｌ３上の被検眼Ｅとは反対側には、光軸Ｌ３上の位置を移動することによりピントを調整するフォーカスレンズ１２と、撮像レンズ１３と、撮像素子１４とが順次に配列される。なお、撮像素子１４は、撮像カメラＣの内部に設けられており、動画観察と静止画撮影を兼ねることができる。撮像素子１４は画像処理部１７に接続され、画像処理部１７はシステム制御部１８に接続される。画像処理部１７は、システム制御部１８の制御にしたがって、撮像素子１４により撮像される眼底像などを、タッチパネル１６と一体のモニタ１５に映出する。光軸Ｌ２上において、リング絞り７とリレーレンズ８の間には、フォーカス指標投影部２２が配置される。フォーカス指標投影部２２とフォーカスレンズ１２は、それぞれフォーカスレンズ駆動部１９およびフォーカス指標駆動部２０により駆動される。また、フォーカスレンズ駆動部１９およびフォーカス指標駆動部２０は、システム制御部１８により制御される。さらに、眼底カメラ１００は、被検眼Ｅを固定するための図略の固視灯を有する。固視灯は、光軸Ｌ３上から被検眼Ｅに光束を投影する内部固視灯であってもよく、光軸Ｌ３とは異なる方向から被検眼Ｅに光束を投影する外部固視灯であってもよい。内部固視灯が適用される場合には、例えば、光軸Ｌ３上に跳ね上げ式のミラーが設けられ、このミラーの反射光軸方向に、内部固視灯の光源が設けられる。外部固視灯が適用される場合には、例えば、光軸Ｌ３から外れた位置に外部固視灯の光源が設けられる。
【０００９】
図２は、本発明を実施した眼科装置の第１の実施形態である眼底カメラ１００の構成例を示す外観斜視図である。眼底カメラ１００は、ヘッド部３０と、ベース部３１と、顎受け部３２とを含む。ベース部３１には、表示手段の例であるモニタ１５が、モニタアーム２３を介して設けられる。モニタ１５の表示面（画像を表示する面）には、タッチパネル１６が一体に設けられる。また、ベース部３１には、第２の操作手段の例であるジョイスティック２１が、モニタ１５およびモニタアーム２３とは別体に設けられる。表示手段の例であるモニタ１５は、モニタアーム２３によって支持されており、モニタアーム２３とともにベース部３１に対して相対的に左右方向に移動可能である。また、モニタ１５は、機械的制約の範囲内で、所望の位置で自由に停止させることができる。そして、モニタ１５を移動させると、モニタ１５とジョイスティック２１との相対的な位置関係が変化する。モニタ１５の位置（すなわち、モニタ１５のジョイスティックに対する相対的な移動量および移動方向）は、モニタ位置検出センサ２４により検出される。モニタ位置検出センサ２４は、たとえば磁気センサなどといった、公知のセンサが適用できる。第２の操作手段の例であるジョイスティック２１には、図略の撮像スイッチが設けられる。
【００１０】
次に本実施形態での眼底カメラ１００の撮像動作について説明する。システム制御部１８は、検者によるタッチパネル１６への操作にしたがって、手動合焦モードと自動合焦モードを切り替える。両モードにおいて、システム制御部１８は観察用光源１を点灯する。観察用光源１から射出した光束は、コンデンサレンズ２で集光され、フィルタ３で可視光がカットされて赤外光のみが透過する。赤外光は、ストロボ等の撮像用光源４を透過し、レンズ５とミラー６とを経て、リング絞り７によりリング光束にされる。そして、リング光束は、リレーレンズ８を経た後、穴あきミラー９により光軸Ｌ３方向に偏向され、対物レンズ１０を介して被検眼Ｅの眼底Ｅｒを照明する。眼底Ｅｒに達した光束は反射散乱して被検眼Ｅから射出する。射出した光束は、対物レンズ１０と、撮像絞り１１と、フォーカスレンズ１２と、撮像レンズ１３とを介して撮像素子１４に眼底像として結像する。撮像素子１４は、結像した眼底像を撮像し、画像処理部１７に出力する。
【００１１】
手動合焦モード時では、システム制御部１８は、検者によるタッチパネル１６への入力にしたがって、観察用光源１の光量調整・点灯・消灯などの制御と、撮像用光源４の光量調整・点灯・消灯などの制御を実行する。また、システム制御部１８は、撮像素子１４で撮像した眼底像を、画像処理部１７を介してモニタ１５に映し出す。検者は、第２の操作入力部の例であるジョイスティック２１を用いて、被検眼Ｅの眼底Ｅｒと撮像素子１４とが光学的に共役関係になるように、フォーカス指標投影部２２の操作を行う。この際、検者は、タッチパネル１６を用いて、モニタ１５に映し出される眼底像の明るさを観察しやすい明るさへ調整も行う。次いで、検者は、フォーカス調整を行った後、図示しない撮像スイッチを押し、撮像を行う。
【００１２】
自動合焦モード時では、システム制御部１８は、撮像素子１４に結像した眼底像を利用して合焦位置を検出し、その検出結果に基づき、フォーカスレンズ駆動部１９およびフォーカス指標駆動部２０を制御する。また、システム制御部１８は、合焦位置の検出結果に基づき、観察用光源１の光量調整・点灯・消灯などの制御と、撮像用光源４の光量調整・点灯・消灯などの制御を実行する。
【００１３】
次に、図３を用いて、画像処理部１７がモニタ１５の表示面に映し出す操作画面及び眼底像について説明する。仮想スイッチ３０１は、第２の操作手段とは別体で、表示手段上に一体に設けられる第１の操作手段の例である。仮想スイッチ３０１は、タッチパネル１６と、モニタ１５の表示面に表示されるスイッチのアイコンなどとによって実現される。アイコンは、図形、文字、または図形と文字の組み合わせにより構成される。仮想スイッチ３０１は、撮像中に頻繁に操作する機能をまとめたものである。本実施形態では、撮像中に頻繁に使われる観察光量調整と動作モードの切り替えスイッチが割り振られている。このほか、撮像中に頻繁に使う機能としては、観察光量調整、撮像光量調整、各センサの感度調整、合焦のための操作、撮像モードの切り替え、動作モードの切り替え、各動作の速度調整、内部固視灯の操作、外部固視灯の操作、表示画像の倍率調整、表示画像の切り替え、画像の表示モードの切り替え、緊急停止、状態リセット、撮像、ヘッド移動等のジョイスティック２１で行う操作等がある。このように、仮想スイッチ３０１には、前述の機能のいずれか１つが割り振られるか、または複数の機能が纏めて割り振られる。
【００１４】
システム制御部１８は、仮想スイッチ３０１の操作（例えば、アイコンへのタッチ）を検出すると、検出結果に応じて、割り振られた機能を実現するための処理を実行する。具体的には次のとおりである。観察光量調整の機能が割り振られている場合には、仮想スイッチ３０１の操作に応じて観察用光源１の光量調整（観察光量調整）を実行する。撮像光量調整の機能が割り振られている場合には、仮想スイッチ３０１の操作に応じて撮像用光源４の光量調整（撮像光量調整）を実行する。センサの感度調整の機能が割り振られている場合には、仮想スイッチ３０１の操作に応じて撮像素子１４の感度調整を実行する。合焦のための操作が割り振られている場合には、仮想スイッチ３０１の操作に応じてフォーカスレンズ１２を駆動して合焦動作を実行する。撮像モードの切り替えの機能が割り振られている場合には、仮想スイッチ３０１の操作に応じて、撮像モード（動画観察と静止画撮像）を切替える。動作モードの切り替えの機能が割り振られている場合には、仮想スイッチ３０１の操作に応じて、検者が手動で合焦動作を行う手動合焦モードと、システム制御部１８が自動で合焦動作を実行する自動合焦モードを切替える。各動作の速度調整の機能が割り振られている場合には、仮想スイッチ３０１の操作に応じて、各動作の速度調整を実行する。ここで調整対象となる動作としては、ヘッド部３０の移動速度や、フォーカスレンズ１２の駆動速度が挙げられる。内部固視灯または外部固視灯の操作の機能が割り振られている場合には、仮想スイッチ３０１の操作に応じて、内部固視灯または外部固視灯の点灯・消灯・光量調整を実行する。表示画像倍率調整の機能が割り振られている場合には、仮想スイッチ３０１の操作に応じて、モニタ１５に表示する被検眼Ｅの眼底像の倍率を変更する。表示画像の切り替えの機能が割り振られている場合には、仮想スイッチ３０１の操作に応じて、モニタ１５の表示画像の内容を切り替える。例えば、眼底像の表示からメニュー画像の表示またはその逆に切り替える。画像の表示モードの切り替えの機能が割り振られている場合には、仮想スイッチ３０１の操作に応じて、表示モードの切り替えを実行する。例えば、モニタ１５に表示する撮像画像（眼底像）に各種情報を重ねて表示するか否かや、各種情報の表示が眼底像の表示を阻害しないようにするための表示処理方法が、表示モードごとに設定されている。緊急停止の機能が割り振られている場合には、仮想スイッチ３０１の操作を検出すると、眼底カメラ１００の動作を直ちに停止させる。状態リセットの機能が割り振られている場合には、仮想スイッチ３０１の操作を検出すると、眼底カメラ１００の設定を初期状態にリセットする。撮像の機能が割り振られている場合には、仮想スイッチ３０１の操作を検出すると、被検眼Ｅの撮像（動画または静止画の取得）を実行する。ヘッド移動の機能が割り振られている場合には、仮想スイッチ３０１の操作に応じて、ヘッド部３０を移動させる。
【００１５】
なお、第１の操作手段の例である仮想スイッチ３０１に割り振られる機能としては、眼底カメラ１００が搭載し得る全ての機能のうちのいずれであってもよい。また、システム制御部１８は、仮想スイッチ３０１に対して、１つの機能を割り振ってもよい。さらに、仮想スイッチ３０１に対して、複数の機能を割り振ってもよい。すなわち、仮想スイッチ３０１に、複数の機能が纏められていてもよい。このほか、検者による設定によって仮想スイッチ３０１に割り振られる機能を変更できるようにしてもよい。また、システム制御部１８は、仮想スイッチ３０１の配置位置（表示位置）を、割り振った機能に対応して変化させる。本実施形態では、この仮想スイッチ３０１のモニタ１５上での位置が特徴的なものとなる。
【００１６】
操作スイッチ３０２ａ〜３０２ｅは、撮影中において頻繁には操作されない機能が割り振られた仮想スイッチである。例えば、電源スイッチ等、上述の撮影中に頻繁に使う機能として選択されなかった機能すべてがこれに当たる。この機能も、仮想スイッチ３０１と同様に、使用者が設定できるようにしてもよい。なお、図３では、５個の操作スイッチ３０２ａ〜３０２ｅが表示される構成を示すが、表示される操作スイッチの数及び割り振られる機能数は１つでもよいし、５に限らない複数でもよい。また、操作スイッチ３０２ａ〜３０２ｅがモニタ１５の左端の領域に（すなわち、表示手段上に）縦一列に表示される構成を示すが、操作スイッチ３０２ａ〜３０２ｅの配置はこの構成に限定されるものではない。また、操作スイッチ３０２ａ〜３０２ｅの表示場所を、検者が設定できるようにしてもよい。なお、操作スイッチ３０２ａ〜３０２ｅは、モニタ１５のフレームに設置された物理スイッチでもよい。
【００１７】
図３中のフォーカス指標像３９ｂ，３９ｃは、前記フォーカス調整に用いられる指標像である。図３中のアライメント指標像３０３ａ，３０３ｂは、眼底カメラ１００と被検眼Ｅとの位置合わせに用いられる指標像である。これらの指標像は、眼底カメラ１００に一般に搭載されているフォーカス指標像及びアライメント指標像であり、本実施形態における特徴ではないため、詳しい説明を省略する。
【００１８】
検者は、測定を行う際、多くの場合片手で被検者に対し介助を行う。例えば検者は、撮像画像に瞼がかからないように被検者の瞼を上げたり、体勢を維持させるために被検者の体を支えたりする。このため、検者は、眼底カメラ１００の操作を、介助を行っていない片方の手で行う。しかしながら、眼底カメラ１００が第１の操作手段（本実施形態では仮想スイッチ３０１）と第２の操作手段（本実施形態ではジョイスティック２１）との２つの操作手段を有する場合には、検者は片手で２つの操作手段を操作しなければならなくなる。この場合において、操作性を損なわないためには、２つの操作手段の位置関係が重要になる。検者が被検者へ介助をしながら検査する際、検者は被検者を介助しやすいように、眼底カメラ１００の左右どちらかへ自身の体を移動させる。そしてこの移動に伴い、検者は、モニタ１５を見やすい位置へ移動させる。モニタ１５を移動させると、第１の操作手段の例である仮想スイッチ３０１と、第２の操作手段の例であるジョイスティック２１のとの相対的な位置関係が変化し、操作性が損なわれる可能性がある。そこで、本実施形態では、２つの操作手段の位置関係を維持するために、モニタ１５の移動量を打ち消すように、モニタ１５に表示される仮想スイッチ３０１を移動させる。
【００１９】
図４及び図５を用いて、仮想スイッチ３０１の移動について説明する。図４（ａ）は、第２の操作手段の例であるジョイスティック２１と、第１の操作手段の例である仮想スイッチ３０１との位置関係の初期状態を模式的に示す図である。初期状態として、モニタ１５の左右方向中心Ｍ０と、眼底カメラ１００の左右方向中心Ｘ０とが重なっているとする。なお、説明を分かりやすくするために中心を重ねてあるが、検者がモニタ１５を動かす前のモニタ１５位置は、機械的制約の範囲内であればどこでもよい。図４（ｂ）は、第１の操作手段の例である仮想スイッチ３０１が、第２の操作手段であるジョイスティック２１に対し、初期状態から右方向にΔｘの移動量を相対的に移動した状態を模式的に示す図である。図５は、仮想スイッチ３０１の移動に関するシーケンスのフローチャートである。
【００２０】
ステップＳ１００において、システム制御部１８は、仮想スイッチ３０１を移動するシーケンスを開始する。ステップＳ１０１において、システム制御部１８は、モニタ位置検出センサ２４を介して、検者がモニタ１５をジョイスティック２１に対して相対的に移動させたか検出する。モニタ１５の移動を検出しない場合には、このステップＳ１０１で待機する。モニタ１５の移動を検出した場合には、ステップＳ１０２に進む。ステップＳ１０２において、システム制御部１８は、モニタ位置検出センサ２４を介して、モニタ１５の移動量Δｘおよび移動方向を検出する。ステップＳ１０３において、システム制御部１８は、ステップＳ１０２におけるモニタ１５の移動量Δｘおよび移動方向の検出結果から、仮想スイッチ３０１の移動量Δｘ’および移動方向を算出する。仮想スイッチ３０１の移動量Δｘ’の絶対値は、モニタ１５のジョイスティック２１に対する相対的な移動量Δｘと等しい。また、仮想スイッチ３０１の移動方向は、モニタ１５の移動方向と反対方向である。ただし、仮想スイッチ３０１の移動量Δｘ’は、この構成に限定されるものではない。仮想スイッチ３０１の移動量Δｘ’は、モニタ１５の移動量Δｘと、所定の関係を有するものであればよい。ステップＳ１０４において、システム制御部１８は、画像処理部１７を介して、仮想スイッチ３０１を、ステップＳ１０３において算出した移動方向に移動量Δｘ’を移動させる（図４(ｂ)参照）。ステップＳ１０５において、システム制御部１８は、仮想スイッチ３０１の位置が、モニタ１５の移動後の位置に対応した位置に移動したかを確認する。仮想スイッチ３０１が所定の位置に移動していない場合には、ステップＳ１０２に戻る。仮想スイッチ３０１が所定の位置に移動した場合には、ステップＳ１０６に進み、このシーケンスを終了する。
【００２１】
以上のシーケンスにより、検者がモニタ１５を移動しても、システム制御部１８は、第１の操作手段の例である仮想スイッチ３０１を、第２の操作手段の例であるジョイスティック２１に対して、操作性の良い位置に維持する。たとえば、仮想スイッチ３０１の移動方向と移動量Δｘ’が、モニタ１５の移動方向と移動量Δｘに対し、絶対値が同じで反対方向である場合には、ジョイスティック２１と仮想スイッチ３０１との位置関係が、初期状態と同じ位置関係に維持される。このため、ジョイスティック２１と仮想スイッチ３０１との操作性が、初期状態と同様の操作性に維持される。なお、本実施形態では、モニタ１５の左右方向の移動のみを検出する構成を示したが、モニタ１５の移動方向は左右方向に限定されるものではない。たとえば、システム制御部１８は、モニタ１５の上下方向の動きを検出し、その検出結果に応じて仮想スイッチ３０１を上下方向に移動させてもよい。
【００２２】
以上の構成より、視認性を確保するために表示手段（モニタ１５）を検者が望む任意の場所に移動させても、第１の操作手段（仮想スイッチ３０１）は第２の操作手段（ジョイスティック２１）から操作性の良い位置関係を維持できる。したがって、操作性が損なわれず、介助しながらでも容易に操作できる眼底カメラ１００を提供できる。
【００２３】
［第２の実施形態］
第１の実施形態は、仮想スイッチ３０１の移動する範囲には操作スイッチ３０２が配置されない形態である。これに対して、第２の実施形態は、仮想スイッチ３０１の移動範囲内に操作スイッチ３０２が配置される形態である。
【００２４】
図６を参照して、第１の操作手段である仮想スイッチ３０１の表示について説明する。仮想スイッチ３０１には、第１の実施形態同様に、撮影中に頻繁に操作する機能が割り振られている。操作スイッチ３０２ａ〜３０２ｆは、第３の操作手段の例である。操作スイッチ３０２ａ〜３０２ｆは、仮想スイッチ３０１と同様に、モニタ１５の表示面に一体に設けられる仮想スイッチであり、モニタ１５の表示面に表示されるアイコンとタッチパネル１６との組み合わせにより構成される。操作スイッチ３０２ａ〜３０２ｆには、第１の実施形態と同様に、電源等の機能などといった、仮想スイッチ３０１へ割り振られていない機能が割り振られている。検者が視認性を確保するためにモニタ１５を移動させると、モニタ位置検出センサ２４は、モニタ１５のジョイスティック２１に対する相対的な移動方向および移動量を検出する。そして、システム制御部１８は、その検出結果に応じて、仮想スイッチ３０１を移動させる。仮想スイッチ３０１の移動のシーケンスは、第１の実施形態と同様である（図５参照）。この際、システム制御部１８は、操作スイッチ３０２ａ〜３０２ｆを、図６（ｂ）に示すように、移動後の仮想スイッチ３０１と重ならないように移動させる。なお、システム制御部１８は、操作スイッチ３０２ａ〜３０２ｆのうち、移動後の仮想スイッチ３０１と重なるものだけを移動してもよく、全ての操作スイッチ３０２ａ〜３０２ｆを移動してもよい。
【００２５】
操作スイッチ３０２ａ〜３０２ｆを仮想スイッチ３０１と重ならないように移動させる構成としては、例えば、図６（ｂ）に示すように、操作スイッチ３０２ａ〜３０２ｆを、移動後の仮想スイッチ３０１と入れ替えるように移動させる構成が適用できる。すなわち、仮想スイッチ３０１の移動後の位置にある操作スイッチ３０２ａ〜３０２ｆを、仮想スイッチ３０１の移動前の位置に移動させる構成が適用できる。ただし、本発明はこのような構成に限定されるものではない。たとえば、システム制御部１８は、操作スイッチ３０２ａ〜３０２ｆを、仮想スイッチ３０１と重ならないように上下方向に移動させてもよい。また、システム制御部１８は、操作スイッチ３０２ａ〜３０２ｆの表示サイズを変えることによって、仮想スイッチ３０１を避けてもよい。また、図６では、６個の操作スイッチ３０２ａ〜３０２ｆが配置される構成を示すが、操作スイッチ３０２ａ〜３０２ｆの数は限定されるものではない。同様に、操作スイッチ３０２ａ〜３０２ｆに割り振られる機能数は１つでもよいし、６に限らない複数でもよい。さらに、図６においては、操作スイッチ３０２ａ〜３０２ｆがモニタ１５の下部に横一列に配置される構成を示すが、操作スイッチ３０２ａ〜３０２ｆが配置される位置や配置の態様は、この構成に限定されるものではない。
【００２６】
以上の構成より、視認性を確保するために表示手段（モニタ１５）を検者が望む任意の場所に移動させても、第１の操作手段（仮想スイッチ３０１）は第２の操作手段（ジョイスティック２１）から操作性の良い位置関係を維持できる。このため、操作性が損なわれず、介助しながらでも容易に操作できる眼科装置を提供できる。
【００２７】
ここで、システム制御部１８の構成について、簡単に説明する。本発明の各実施形態において、システム制御部１８は、ＣＰＵとＲＯＭとＲＡＭを有するコンピュータが適用される。ＲＯＭには、図５に示すシーケンスを含む眼底カメラを制御するためのコンピュータプログラムが格納されている。ＣＰＵは、このコンピュータプログラムをＲＯＭから読出し、ＲＡＭに展開して実行する。これにより、眼底カメラ１００が制御され、図５に示すシーケンスが実現する。
【００２８】
以上、本発明の各実施形態について、図面を参照して詳細に説明したが、本発明は前記実施形態に限定されるものではなく、種々の変更が可能である。たとえば、前記実施形態では、眼科装置として眼底カメラを示したが、本発明が適用できる眼科装置は眼底カメラに限定されるものではない。本発明は、相対的に移動可能な２つ以上の操作手段を有する眼科装置であれば、種類を限定することなく適用できる。
【００２９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００３０】
Ｅ：被検眼、１５：モニタ、１６：タッチパネル、２１：第２の操作手段（ジョイスティック）、２２：フォーカス指標投影部、２３：モニタアーム、３０１：第１の操作手段（仮想スイッチ）、３０２：操作スイッチ
【図１】
2015167683.tif 000003
【図２】
2015167683.tif 000004
【図３】
2015167683.tif 000005
【図４】
2015167683.tif 000006
【図５】
2015167683.tif 000007
【図６】
2015167683.tif 000008